(57)【要約】【課題】ライトを仮想的に再回路形成し、グループ分けする。【解決手段】照明モジュール（１００）は、光源を受け入れるように構成されている照明モジュール（１１０）と、前記照明モジュール（１１０）にリンクできるように構成されているコントローラ（１２０）とを備える。前記コントローラ（１２０）と前記照明モジュール（１１０）との間で、前記照明モジュールのモジュールリンク識別および前記コントローラのコントローラリンク識別のうちの少なくとも１つを交換することにより、前記コントローラ（１２０）と前記照明モジュール（１１０）との間のリンクを確立できる。このリンクは、照明モジュール（１１０）に対して前記コントローラ（１２０）のポインティングすること、前記照明モジュール（１１０）に対して前記コントローラ（１２０）を接触させることおよび／またはディスプレイから前記照明モジュール（１１０）を選択することのうちの１つを含むジェスチャーに基づき確立できる。【選択図】図３
2009536778.tif 000002
【特許請求の範囲】
【請求項１】
光源を受け入れるように構成されている照明モジュール（１１０）と、
前記照明モジュールにリンク可能に構成されているコントローラ（１２０）とを備え、
前記照明モジュール（１１０）のモジュールリンク識別および前記コントローラ（１２０）のコントローラリンク識別のうちの少なくとも１つを前記コントローラ（１２０）と前記照明モジュール（１１０）との間で交換することにより、前記コントローラ（１２０）と前記照明モジュール（１１０）との間のリンクを確立できる照明システム（１００）。
【請求項２】
前記照明モジュール（１１０）に対して前記コントローラをポイントすること、前記コントローラ（１２０）を前記照明モジュール（１１０）に接触させること、前記コントローラ（１２０）と前記照明モジュール（１１０）とを互いに接近させること、およびディスプレイから前記照明モジュール（１１０）を選択することのうちの１つを含むジェスチャーに基づき、前記リンクを確立できるようになっている、請求項１に記載の照明システム（１００）。
【請求項３】
前記照明モジュール（１１０）は、モジュールリンクサブシステム（２１０）を備え、前記コントローラ（１２０）は、コントローラリンクサブシステム（２６０）を備え、前記モジュールリンクサブシステム（２１０）および前記コントローラリンクサブシステム（２６０）は、前記モジュールリンク識別および前記コントローラリンク識別のうちの前記少なくとも１つを交換するように構成されている、請求項１に記載の照明システム（１００）。
【請求項４】
前記照明モジュール（１１０）のモジュールコマンド識別および前記コントローラ（１２０）のコントローラコマンド識別のうちの少なくとも１つを、前記コントローラ（１２０）と前記照明モジュール（１１０）との間で交換することにより、前記リンクを更に確立できる、請求項１に記載の照明システム（１００）。
【請求項５】
前記照明モジュール（１１０）は通信サブシステム（２２０）を備え、前記コントローラ（１２０）は、コントローラ通信サブシステム（２７０）を備え、前記モジュール通信サブシステム（２２０）および前記コントローラ通信サブシステム（２７０）は、前記モジュールコマンド識別および前記コントローラコマンド識別のうちの前記少なくとも１つを交換するように構成されている、請求項４に記載の照明システム（１００）。
【請求項６】
前記照明モジュール（１１０）は、モジュールリンクサブシステム（２１０）およびモジュール通信サブシステム（２２０）を備え、前記コントローラ（１２０）は、コントローラリンクサブシステム（２６０）およびコントローラ通信サブシステム（２７０）を備え、前記モジュールリンクサブシステム（２１０）および前記コントローラリンクサブシステム（２６０）は、前記モジュールリンク識別および前記コントローラリンク識別のうちの前記少なくとも１つを交換するように構成されており、前記コントローラ通信サブシステム（２７０）は、前記コントローラリンクサブシステム（２６０）からの前記モジュールリンク識別を受信し、前記光源を制御するためのコマンドを発生するように構成されている、請求項１に記載の照明システム（１００）。
【請求項７】
前記照明モジュール（１１０）は、モジュールリンクサブシステム（２１０）およびモジュール通信サブシステム（２２０）を備え、前記コントローラ（１２０）は、コントローラリンクサブシステム（２６０）およびコントローラ通信サブシステム（２７０）を備え、前記モジュールリンクサブシステム（２１０）および前記コントローラリンクサブシステム（２６０）は、前記モジュールリンク識別および前記コントローラリンク識別のうちの前記少なくとも１つを交換するように構成されており、前記モジュール通信サブシステム（２２０）および前記コントローラ通信サブシステム（２７０）は、前記モジュールコマンド識別および前記コントローラコマンド識別のうちの前記少なくとも１つを交換するように構成されている、請求項１に記載の照明システム（１００）。
【請求項８】
更に別のコントローラ（３５０）を備え、この別のコントローラ（３５０）は、前記コントローラ（１２０）の設定をコピーするように構成されている、請求項１に記載の照明システム（１００）。
【請求項９】
前記コントローラ（１２０）は、ポータブルコントローラである、請求項１に記載の照明システム（１００）。
【請求項１０】
無線通信を通して前記リンクが確立される、請求項１に記載の照明システム（１００）。
【請求項１１】
別の照明モジュールにより別のリンクが確立されたときに、前記リンクが削除される、請求項１に記載の照明システム（１００）。
【請求項１２】
前記複数の照明モジュールを更に備え、前記コントローラ（１２０）は、前記少なくとも１つのグループに関連する光源を制御するよう、前記複数の前記照明モジュールの少なくとも１つのグループにリンクできるように構成されている照明システム（１００）。
【請求項１３】
前記少なくとも１つのグループのそれぞれのグループは、それぞれのグループ識別を有し、前記コントローラは、前記それぞれのグループ識別に基づき、前記それぞれのグループを制御するように構成されている、請求項１２に記載の照明システム（１００）。
【請求項１４】
前記コントローラ（１２０）は、前記それぞれのグループに関連する照明モジュールに対して前記コントローラ（１２０）をポインティングすること、前記照明モジュールに対して前記コントローラを接触させることおよびディスプレイから前記照明モジュールを選択することのうちの１つを含むジェスチャーに基づき、前記それぞれのグループ識別を受信するよう、前記それぞれのグループにリンク可能となっている、請求項１２に記載の照明システム（１００）。
【請求項１５】
追加照明モジュールを更に備え、これら追加照明モジュールは、モジュールの組にグループ分けされ、前記組の各々は、それぞれのグループ識別を有し、前記コントローラは、前記組のうちの第１の組、複数の前記組およびすべての前記組のうちの少なくとも１つを制御するように更に構成されている、請求項１に記載の照明システム（１００）。
【請求項１６】
前記コントローラ（１２０）は、前記それぞれのグループ識別によりモジュールの前記組を制御するように構成されている、請求項１５に記載の照明システム（１００）。
【請求項１７】
前記コントローラは、前記組のうちの少なくとも１つを制御するようになっている制御セッションのためのセッション識別を提供するように構成されている、請求項１５に記載の照明システム（１００）。
【請求項１８】
前記セッション識別は、前記組のうちの前記少なくとも１つを将来制御するために、前記コントローラ（１２０）のメモリ（２４０）内に記憶されている、請求項１７に記載の照明システム（１００）。
【請求項１９】
光源のソースリンク識別およびコントローラ（１２０）のコントローラリンク識別のうちの少なくとも１つを、前記コントローラと前記光源との間で交換する工程と、
前記コントローラ（１２０）と前記光源との間のリンクを確立する工程とを備える、光源を制御するための方法。
【請求項２０】
前記リンクを確立する工程は、前記光源に対して前記コントローラ（１２０）をポイントすること、前記光源に前記コントローラ（１２０）を接触させること、およびディスプレイ（３７０）から前記光源を選択することのうちの少なくとも１つを含む、請求項１９に記載の方法。
【請求項２１】
前記光源のソースコマンド識別および前記コントローラ（１２０）のコントローラコマンド識別のうちの少なくとも１つを前記コントローラ（１２０）と前記光源との間で交換する工程を更に含む、請求項１９に記載の方法。
【請求項２２】
別のコントローラに前記コントローラ（１２０）の設定をコピーする工程を更に備える、請求項１９に記載の方法。
【請求項２３】
別の光源により別のリンクが確立されたときに前記リンクを削除する工程を更に備える、請求項１９に記載の方法。
【請求項２４】
光源の少なくとも１つのグループをリンクする工程と、
前記１つのグループに関連するそれぞれの光源を制御するよう、前記少なくとも１つのグループのうちから１つのグループを選択する工程を更に備える、請求項１９に記載の方法。
【請求項２５】
前記少なくとも１つのグループのうちから複数のグループを選択する工程と、
前記複数のグループに関連するセッション識別を形成する工程と、
前記セッション識別に所定の設計を割り当てる工程と、
前記所定の設定に従い、前記セッション識別に関連する光源を制御する工程とを更に備える、請求項２４に記載の方法。
【発明の詳細な説明】
【技術分野】
【０００１】
本発明は、１つ以上のリモコンにより制御するためのライトグループをリンクし、再回路形成するための照明システムおよび方法に関する。
【背景技術】
【０００２】
プロ用マーケットおよび消費者マーケットの双方において、革新的な照明制御システムが導入されつつあり、これらシステムは、（内外の）すべての周辺ライトを、例えばディミング、スイッチングおよびカラー調節のために制御し、生産性、安全性、効率およびリラクゼーションの点で生活を豊かにするようになっている。これらシステムにおける核心は、現在存在する照明器具を「仮想的に」再回路形成できることである。換言すれば、あなた自身のライトのグループをもともと設置されているシステムから独立させ、これらグループに特定の役割（例えばディミング設定）を割り当てることである。
【発明の開示】
【発明が解決しようとする課題】
【０００３】
照明システムを仮想的に再回路形成すること（すなわち設置し、維持すること）は、革新的なほとんどの照明制御システムにおける核心となっている。しかしながら、従来のシステムのほとんどの状態は、ユーザーの観点から仮想的な再回路形成を考慮していない。換言すれば、特に現在の照明器具に新しい照明器具を追加するときに、かかる制御システムを設置し、維持することは困難である。更に従来の照明システムは、ライトをより良好に制御するよう、ライトをグループ分けする、人のメンタルモデルにマッチングさせるという点でも能力に欠ける。最新の市場で入手できる照明制御システムは、再回路形成中にも機能しない。
【０００４】
従って、より良好な照明制御、ライトの仮想的な再回路形成およびグループ分できることが求められている。従って、本システムおよび方法の目的は、ライトを仮想的に再回路形成し、グループ分けすることを考慮した照明制御装置を提供することにある。
【０００５】
上記およびそれ以外の目的は、接触すること、接近すること、ポイントすることおよび／または同様な工程に類似するジェスチャーにより、かかるシステムの個々の構成部品（例えばランプ、スイッチ）をリンクするだけでなく、ユーザーがグループ識別機構により日々のルーチンでライトのグループを使用できるようにするメンタルモデルを実現するためのリンク機構を含むシステムおよび方法により達成される。
【課題を解決するための手段】
【０００６】
説明すれば、照明モジュールは、光源を受け入れるように構成されており、コントローラは、前記照明モジュールにリンク可能に構成されている。
前記照明モジュールのモジュールリンク識別および前記コントローラのコントローラリンク識別のうちの少なくとも１つを前記コントローラと前記照明モジュールとの間で交換することにより、前記コントローラと前記照明モジュールとの間のリンクを確立できる。このリンクは、前記照明モジュール対して前記コントローラをポイントすること、前記コントローラを前記照明モジュールに接触させること、前記コントローラと前記照明モジュールとを互いに接近させること、およびディスプレイから前記照明モジュールを選択することのうちの１つを含むジェスチャーに基づき、確立できるようになっている。
【０００７】
以下の詳細な説明から、本システムおよび方法を適用できる別の分野が明らかとなろう。システムおよび方法の実施形態を示す次の詳細な説明および特定の例は、本発明を説明するためのものにすぎず、本発明の範囲を限定するものではないと理解すべきである。
【０００８】
本発明の装置、システムおよび方法の上記およびそれ以外の特徴、様相および利点は、次の説明、特許請求の範囲および添付図面からより良好に理解できよう。
【０００９】
所定の実施形態の次の説明は、実際には単に例にすぎず、本発明、その用途および使用を限定するものではない。本システムおよび方法の実施形態の次の詳細な説明では、発明の一部を形成し、本明細書に説明するシステムおよび方法を実施できる特定の実施形態が例として示されている添付図面を参照する。これら実施形態は、現時点で開示するシステムを当業者が実施できるように十分詳細に記載されており、本発明の要旨から逸脱することなく、他の実施形態を利用できること、および構造的および論理的変更を行うことができると理解すべきである。
【００１０】
従って、次の詳細な説明は、本発明を制限するように見なしてはならず、本システムの範囲は、特許請求の範囲のみによって定義される。図面に示された参照番号の最初の数字は、一般に図面の番号に対応するが、多数の図に記載されている同じ部品は、同じ参照番号で識別されていることを例外とする。更に明瞭にするために、周知のデバイス、回路および方法の詳細な説明については、本明細書の説明を不明瞭にしないように、省略されている。
【００１１】
本システムおよび方法は、光源およびライトユニットを収納する照明設備または照明器具の簡単なリンクおよびグループ分けだけでなく、これらのコントローラのリンクおよびグループ分けも考慮している。例えば多数のライトユニットおよびこれらライトユニットを制御するように構成できる１つ以上のリモコン、またはそれ以上のリモコンを有するシステムを仮定する。このライトユニットは通常ライトの電球を受け入れている取り付け器具にねじ込まれ、ライト電球はこのライトユニットにねじ込まれている。従って、取り付け器具と電球との間にライトユニットが設置される。ユーザーはどのリモコンがどのライトユニットを制御するか、ライト／ライトユニットをグループにまとめる方法、およびどのライトユニットがどのライトグループに属しているかを知っていることが望ましい。更に、特定のリモコンによって制御されるグループ内には他のライトユニット（例えば隣接ライトグループ）が含まれないことが望ましい。更に他のリモコン（例えば隣接リモコン）が特定のライトユニットを制御しないことを知っていること、またはそのようなことを保証することが望ましい。
【００１２】
ほとんどの従来のシステムは、ライトのグループを予め定め、所定のスイッチにより制御されるようになっている予め配置された照明システムとなっている。他の従来のシステムとして、（設置段階の間でプッシュボタンを使用するか、またはハウスコードおよびユニットコードを設定するためにカラースキームを使用する）システムを設置する前に、各システムコンポーネントを物理的にアドレス指定することが挙げられる。しかしながら、かかる従来のシステムは、ライトを再グループ化することが望ましいとき、またはシステムに新しいコントローラまたは新しいライト固定具／照明器具／ユニットを追加したいとき、ユーザーにとって後の段階で実際の問題を解決できなくなる。従来のシステムはライトおよびコントローラをグループ分けする際に、人のメンタルモデルにマッチングさせるという特徴にも欠けている。
【００１３】
壁のスイッチにより、または照明設備、ライト固定具において直接、現在の照明システムを制御するのに人が使用される。照明制御ポイントの実際の決定は、ユーザーが関与することなく、例えばビルの建築家または照明設備のメーカーによってユーザーに対して行われる。人は予め調理済みのこれらメンタルモデルを使用するが、ニーズに併せて家庭の照明の回路を自由に形成し直す問題に直面したとき、日々のルーチンに対してこれら現在の解決方法がどれだけ不快であるかを認識することになる。例えばリビングルームにおいて居心地のよい光の設定を得るには、部屋内の異なる物理的位置にあるいくつかのライトを特定の光強度に設定しなければならない。ほとんどのケースでは、かかる居心地のよい環境を設定するこのようなルーチンは、頻繁に（毎夕のあるときに）繰り返される。他のルーチン、例えば帰宅時、就寝時、食事時の間にも同じようなパターンが生じ得る。ライトおよびコントローラをグループ分けしたり、グループ分けをし直したりすることができるようにして、ユーザーがグループ識別機構によって日々のルーチンでライトのグループを使用できるようにするメンタルモデルが実現される。
【発明を実施するための最良の形態】
【００１４】
図１Ａ〜１Ｃは、コントローラ１２０、例えばスイッチまたはリモコンと通信するライトユニット１１０を含む、一実施形態に係わる照明システム１００を示す。有線または無線の任意の手段を介して通信を行うことができる。ライトユニット１１０は、ライトのソケットにねじ込むユニットのような、ライトのソケットに取り付け、ライトの電球を受け入れるタイプでよい。
【００１５】
通信機構の他に、ライトユニット１１０とリモコンまたはコントローラ１２０との間のリンクを確立するリンク機構が設けられている。ユーザーはライトユニット１１０とリモコン１２０とをリンクする。設定（例えばディナー、読書、テレビの視聴、ロマンティックな設定または同様の設定）をユーザーにより予め決定し／プログラムし／プログラム可能にし、メモリ、例えばリモコンまたはシステムコントローラのメモリに記憶できる場合に、所望するように再リンクおよび再グループ分けのような変更をリモコン１２０に対して行うことができる。
【００１６】
一実施形態では、物理的ジェスチャーを使って、コントローラによるライトの再リンク化および再グループ分け、および設定のプログラミングを含むシステムとの相互対話およびシステム変更を行い、これら相互対話およびシステム変更は、任意の時間に実施し、起動し、および／または予め決定し、販売時点から家庭での最初の設置を経過して、後のステージにおける照明システムの拡張および再構成するまでのいくつかの段階で、実施できる。
【００１７】
説明すれば、ジェスチャーとして図１Ａ〜１Ｃに示されたコントローラ１２０を照明モジュール１１０に対してポイントすること、コントローラ１２０を照明モジュールに接触させること、および／または図３に示されているマルチグループおよび／またはマスターコントローラ３５０、３６０のタッチセンサディスプレイ３７０、３７５のようなディスプレイから、照明モジュール１２０または光源を選択することのうちの少なくとも１つを挙げることができる。ライトモジュールをポイントし、次に制御および／または他のライトモジュールとのグループ分けのために、この光モジュールを選択するのに、コントローラに含まれるレーザーポインタのような可視表示を含むレーザーも使用できる。他のジェスチャーとして、コントローラと照明モジュールとを互いに接近させること、および／またはコントローラおよび照明モジュールの一方または双方の上の１つ以上のボタンを、例えば同時または所定のシーケンスで起動することを挙げることができる。コントローラは、専用のコントローラでもよいし、または一体化されたデバイス、例えばモバイル電話、すなわち携帯電話、パーソナルデジタルアシスタンス（ＰＤＡ）、マルチメディア（例えばテレビ／ラジオ／再生ユニット）のコントローラ、ラップトップコンピュータまたはパソコンおよび同等品とすることができる。
【００１８】
更に説明すれば、光源を所望するように１つにグループ分けしたり、所望するコントローラと連動できる場合には、スクリーン３７０、３７５上に光源のマップおよび／またはメニューをディスプレイできる。更に、選択されたライトおよび／またはそのグループに所望する設定、帰宅、就寝、食事、ロマンチック、読書の設定などに関連付けしてもよい。当然ながら、これら設定（およびグループ分け）は、プログラム可能にし、および／または予め決定し、図２Ａに示されているコントローラ１１０のメモリ２３０および／またはライトユニット１２０のメモリ２４０に記憶させてもよい。ライトおよびコントローラのグループ分けおよび再グループ分けを可能にすることにより、ユーザーがグループ識別機構により日々のルーチンでライトのグループを使用できるようにするメンタルなモデルを実現できる。
【００１９】
図１Ａ、２Ｂ、１Ｃは、３つのシーケンシャルな状態、すなわちライトユニット１１０およびリモコン１２０のような対象がリンクされていない状態、リンク中の状態およびリンクされている状態を含むリンク機構を示している。
【００２０】
図１Ａに示された最初のステップは、リンクされていない状態と称すことができる。これら対象はリンクされておらず、互いに認識していない（このことはこれら対象が通信できないことを意味することに留意すべきである）。図１Ｂに示された第２ステップは、リンク中の状態と称すことができる。このステップでは、これら対象は、互いに認識するように自らの識別を交換中である。図１Ｃに示された第３ステップは、リンクされた状態と称すことができる。これら対象は、設置された後に互いに認識するように基づき、優先または無線の通信機構を使ってリンクを確立する。このリンクを確立するのに、任意の選択手段を使用できる。例えばリンクコマンドを発生したり、および／または入出力デバイス、例えばキーボード、マウス、タッチスクリーンへのポインティング、ボタンを押すことなどによりリンクを確立できる。
【００２１】
図２Ａ〜２Ｃは、詳細なリンクシステム２００を示す。これらシステムは、図１Ａ〜１Ｃに示されたものと同じシステムになっているものとする。この場合、ランプユニットは対象Ａであり、リモコン１２０は対象Ｂであり、またはこの逆でもある。図２Ａ〜２Ｃに示されるように、これら対象１１０および１２０の各々は、互いに発見をするためのリンクサブシステム２１０、２６０と、更に通信するための実際の通信リンクを設定するための通信サブリンク２２０、２７０を含む。
【００２２】
図２Ａに示された、リンクされていない段階では、双方の対象１１０と１２０とは互いに認識しておらず、リンクもされていない。対象１１０、１２０はリンクされていないので、これら対象１１０と１２０の間では通信を行うことはできない。実際にこれら対象は、互いに通信サブシステム識別子、いわゆるＣｏｍｍＩｄについては知っていない。図２Ｂに示されたリンク注のフェーズでは、双方の対象１１０、１２０はそれらのリンクサブシステム識別子、いわゆるＬｉｎｋＩｄを交換する。この結果、対象Ａ１１０のリンクサブシステム２１０は、対象Ｂ１２０について知っており、この逆に対象Ｂ１２０のリンクサブシステムは、対象Ａ１１０について知っている。一方の対象だけがＬｉｎｋＩｄを提供すれば十分であり、その結果、双方の対象のうちの一方だけが他方を認識することになることに留意すべきである。
【００２３】
図２Ｃに示されたリンクされた段階では、対象１１０、１２０は、自らのＬｉｎｋＩｄに基づきＣｏｍｍＩｄを交換する。例えば通信サブシステム２１０は新しいＬｉｎｋＩｄに関してリンクサブシステム２１０に問い合わせをする。対象Ａ１１０の通信サブシステム２２０は、対象Ａ１１０のリンクサブシステム２１０に問い合わせをする。これに応答し、対象Ａのリンクサブシステム２１０は、その対象Ａの通信サブシステム２２０に、リンク中のステージ（図２Ｂ）中に（対象Ｂ１２０から）受信した対象Ｂ１２０のＬｉｎｋＩｄＢを提供する。同様に、対象Ｂ１２０のリンクサブシステム２６０は、対象Ｂ１２０の通信サブシステム２７０からの問い合わせに応答し、（リンクステージ中に対象Ａ１１０から受信した）対象Ａ１１０のＬｉｎｋＩｄＡを提供する。
【００２４】
通信サブシステムレベル２２０では、これらＬｉｎｋＩｄが交換され、最終リンクを確立する対応するＣｏｍｍＩｄが提供される。例えば対象Ａ１１０が通信チャンネルを介し、ＬｉｎｋＩｄＢによりデバイスのＣｏｍｍＩｄについて問い合わせをすると仮定する。明らかに対象ＢしかそのＣｏｍｍＩｄＢで応答しない。当然ながら、対象Ｂが先行してこの質問をすることもある。
【００２５】
照明制御システム１００は、異なる物理的手段、例えばねじ込み電球アダプタ、電球または電球アダプタ内に埋め込まれたチップのようなインテリジェント電球、壁ソケットなどを有するライトユニット１１０を含む。同じように、コントローラ１２０は、種々のタイプのリモコン、例えばキーホルダー、マルチグループコントローラ、センサなどでよい。通信サブシステム２２０に関し、有線または無線の種々の手段を使用できる。例えば現在の新しい有線技術、例えばジグビー、Ｚウェーブ、Ｘ１０または短距離のブルートゥースプロトコルを含む他の無線プロトコルを使用できる。リンクサブシステム２１０に対しては、短距離近接技術、例えば（ＲＦＩＤタグのようなタグおよびタグリーダーを使用する）赤外線タグノロジー、ポインティング、ソナー、レーザーなどを使用できる。まず最初にユーザーによって予め定めるか、またはプログラムできる関連する特定の挙動と共に、ライトユニットグループを含む自己の仮想的再回路形成照明制御システムを形成するよう、例えば所望する強度、カラー、色相、飽和度、カラー混合および制御、色温度制御、光ビーム幅および方向などを含む所望する属性を光に提供するよう、照明制御システム１００を使用できる。
【００２６】
更に拡張できることとして、システムに新しいライトユニットおよびリモコンを追加することを挙げることができる。例えば既に使用されているキーホルダーに新しい未使用のキーホルダーを追加するには、現在のコントローラまたはキーホルダーの設定をコピーする。同様に、センサをプログラムすることもできる。当然ながら、所望するように新しいコントローラまたはキーホルダー内に、コントローラ（例えばキーホルダー）の全設定または一部の設定、例えば選択された設定をコピーすることができる。いくつかの所定のプログラム可能なデフォルト、例えば最終設定などをコピーすることをセットしてもよい。
【００２７】
確定されたリンク情報をバックアップまたは転送するのに、照明システムを使用できる。例えばマルチグループのリモコンの近くにキーホルダーまたは他の任意のリモコンを保持することによって、マルチグループのリモコンがキーホルダーに関連するか、またはキーホルダーに制御されるライトのグループに関して学習することが可能となる。当然ながら、このような照明システムは容易に再構成できる。例えばライトユニットのリンクを外すことは、このライトリンクを他のリモコンユニットにリンクすることによって達成できる。
【００２８】
これまで説明したリンク兼通信機構の他に、グループ識別機構を設けることができる。かかるグループ識別機構はコヒーレントなメンタルモデルを有する簡単なグループ識別に基づくシステムをユーザーに提供する。説明すれば、グループの識別は基準として使用される。照明システムが送信機（Ｔｘ）モジュールと受信機（Ｒｘ）モジュールとに分割されているとみなす。Ｔｘモジュール（例えばキーホルダー、センサ、壁スイッチ、マルチグループコントローラおよびマスターコントローラ）は、グループの関連、いわゆるグループの識別に基づき、Ｒｘモジュール（例えばねじ込み電球ユニット、電球、ソケットユニット）にコマンドを発生する。これらコマンドは、例えばＯＮ／ＯＦＦ／ＤＩＭのような簡単な挙動でもよいし、またはシーン設定のような、より複雑な挙動（例えばグループのうちの個々のライトのＯＮ／ＯＦＦ／ＤＩＭ）、例えばロマンチック、読書、テレビ視聴設定などでよい。提案する解決案は、各単一のＲｘモジュールが唯一のグループ識別にリンクされているものと見なす。
【００２９】
説明すれば、Ｔｘモジュールは次のように複雑性が増すように、階層的に構成できる。
【００３０】
レベル１のＴｘモジュールは、唯一のグループ識別に関連させることができ、このグループに簡単な挙動、例えばＯＮ／ＯＦＦ／ＤＩＭを発生し、提示し、制御するように構成される。レベル１のＴｘモジュールの例として、キーホルダー、センサ、壁スイッチなどを挙げることができる。
【００３１】
レベル２のＴｘモジュールは、１つ以上のグループ識別に関連させることができ、このグループに簡単な挙動、例えばＯＮ／ＯＦＦ／ＤＩＭを発生し、提示し、制御するように構成される。レベル２のＴｘモジュールの一例は、マルチグループコントローラを含む。
【００３２】
レベル３のＴｘモジュールは、１つ以上のグループ識別に関連させることができ、これらグループおよび個々のＲｘモジュールにより複雑な挙動（例えばシーン設定）を発生し、提示し、制御するように構成される。レベル３のＴｘモジュールの一例はマスターコントローラである。
【００３３】
同様に、Ｒｘモジュールに対し、かかる階層（例えば単一の光源から多数の光源および／または単一のカラーソースから多数のカラーソースまでの範囲）を提供できる。
【００３４】
図２Ａ〜２Ｃを参照して説明したように、照明システムは（ノード間の通信を設定するための）通信サブシステム２２０と、（図３に示されるＲｘモジュール３２０とＴｘモジュール３３０とをリンクする）リンクサブシステム２１０とを含む。この照明システムは、説明したように階層的に構成された構造とすることができる。特にレベル１のＴｘモジュールには単一グループコントローラ（ＳＧＣ）が含まれ、またはこのようなレベル１のＴｘモジュールとして分類され、レベル２のＴｘモジュールにはマルチグループコントローラ（ＭＧＣ）が含まれ、またはレベル２のＴｘモジュールとして分類される。更に、マスターコントローラ（ＭＣ）をレベル３のＴｘモジュールとすることができる。
【００３５】
図３は、照明制御システムを拡張するグループ識別に従って構成された照明制御システム３００を示す。このグループ識別は、例えば分散されたデータベース管理システムとして、いわゆるグループ識別サブシステム３１０として実現できる。このグループ識別サブシステム３１０の１つのタスクは、システム３００内のＲｘモジュール３２０とＴｘモジュール３３０との間の関連のリストを管理すること（例えば新しいユニークなグループ識別を追加すること、旧いグループ識別を削除すること、Ｒｘモジュール３２０およびＴｘモジュール３３０を追加／削除することなど）を含む。説明すれば、ＬｉｎｋＩｄ、ＣｏｍｍＩｄおよびＳｅｓｓｉｏｎＩｄの組み合わせに基づき、ユニークなグループ識別が作成される。例えばＳｅｓｓｉｏｎＩｄは、例えばラップアラウンド増加数を使用する実際の関連のインスタンスを示し、この場合、各セッションはセッションの終了および新しいセッションが開始するときに増加するユニークなＩＤを有する。
【００３６】
システム３００のＲＸモジュール３２０とＴｘモジュール３３０との間には関連は存在しないものとする。従って、グループ識別はまだ割り当てない。ＳＧＣ３１０が光源Ｌ１に一旦リンクされるとＬｉｎｋＩｄ、ＣｏｍｍＩｄおよびＳｅｓｓｉｏｎＩＤからグループ１が形成される。ＳｅｓｓｉｏｎＩＤのユニーク性を保証するよう、双方のモジュールがリンクされる次の時間ごとに、ＳｅｓｓｉｏｎＩＤが増加されることに留意されたい。光源Ｌ１とＳＧＣ３１０の双方は、このユニークなグループ識別を記憶するように構成されている。その後、Ｌ２がＳＧＣ３１０にリンクされた後に、Ｌ２は同じグループに関連づけされ、グループ１も記憶する。グループ１はまだ有効であるので、新しいグループ識別を作成する必要はないことに留意されたい。グループ１には誰が関連しているかを問う、簡単なチェックを実行できる。Ｌ３とＬ４の双方がＭＧＣに関連している場合、同じようにグループ２が形成される。このとき、照明システム３００は２つのグループを含む。ＳＧＣをＭＧＣにリンクすることにより、ＭＧＣはＳＧＣのグループ識別を学習する（よってグループ１も記憶する）。ＬｚをＭＣにリンクすることによってグループｚが形成される。
【００３７】
照明制御システムは、異なる物理的手段（例えばねじ込み電球アダプタ、電球、壁ソケットなど）内のライトユニットおよびリモコン（例えばキーホルダー、マルチグループコントローラ、センサなど）を含むことができる。更に種々の通信サブシステムまたはプロトコル、例えば現在の新しい有線技術、例えばジグビー、Ｚウェーブ、Ｘ１０などを使用できる。リンクシステムに関しては、短距離近接技術、例えばブルートゥース、赤外線、タグノロジー、ポインティング）などを使用できる。グループ識別サブシステムを実現するには、分散できる簡単なデータベースを使用できる。当然ながら、無線システムに加え、または無線システムの代わりに、有線システムに基づく通信および／またはリンクを設定することもできる。
【００３８】
説明すれば、物理システムコンポーネントにわたるデータベースの分布に関連した通信システムのパワー挙動を検討することができる。例えば電力消費の理由から、無線コンポーネントが定期的または必要なときにスリープし、ウェイクアップできることを仮定する有線コンポーネントと無線コンポーネントの間の分散データベースの同期をチューニングすることができる。
【００３９】
当然ながら、これまでの説明に関連し、通信技術に精通するものであれば、コントローラおよび／またはライトユニット内に種々の要素、例えば送信機、受信機またはトランシーバ、アンテナ、変調器、復調器、変換器、デュプレクサ、フィルイタ、マルチプレクサなどを設けることができるのは明らかであるが、これら要素については本システムおよび方法の説明を不明瞭にすることがないよう、これ以上説明しない。コントローラおよび／またはライトユニットは、プロセッサおよび／またはメモリを含むことができ、この場合、プロセッサは、例えばメモリ内に記憶された命令を実行し、メモリは、光源から発せられる光の属性を変えるように制御できる光源の場合に対し、設定、例えば強度（すなわちディミング機能）、カラー色相、飽和度、ビーム幅、方向、色温度、混合カラーなどのプログラム可能なグループを含む、光源の制御に関連する他のデータ、例えば所定の、またはプログラム可能な設定も記憶できる。当然ながら、複数のグループに対し、または１つのグループ内の複数の照明ユニットに対し、所望するカラー属性は同じでもよいし、または異なっていてもよい。すなわち個々のライトユニットは単一グループ内にあっても、所望する異なる属性の光を発生できる。同じように、２つ以上の異なるグループに同じライトユニットが属していてもよいし、どのグループが制御されているかに応じ、この同じライトユニットは、異なる属性の光、すなわちグループ１内で制御されるとき、またはグループ１と共に制御されるときは、属性１の光を発生し、グループ２内で制御されるとき、またはグループ２と制御されるときは、属性２の光を発生できる。当然ながら、グループ１とグループ２の双方が制御されており、よって異なる光の属性を同時に発生するのに同じ光を必要とするような競合がある場合には、ユーザーに通知したり、または競合が生じた場合に一方の属性が他方の属性よりも優先されるような所定の階層的な構造または他の構造を設けてもよい。
【００４０】
発光ダイオード（ＬＥＤ）は、変化するカラー、強度、色相、飽和度およびその他の属性を光に与えるように構成できるので、変化する属性の光を制御しながら発生するのに特に良好に適した光源となっており、種々の光の属性を制御し、調節するための電子駆動回路を一般に有する。しかしながら、種々の属性、例えば種々の強度レベル、異なるカラー、色相、飽和度などの光を発生できる制御可能な光源、例えば白熱ライト、蛍光ライト、ハロゲンライトまたは高強度放電（ＨＩＤ）ライトなどを使用でき、これら光源は、バラストまたは種々の光の属性を制御するためのドライバーを有することができる。
【００４１】
照明システムの種々のコンポーネントは、例えば有線リンクまたは無線リンクを含む任意のタイプのリンクにより互いに作動的に結合できると理解すべきである。本明細書の説明を検討すれば、当業者に認識できる種々の変形例も提供できる。メモリはアプリケーションデータだけでなく他のデータを記憶するための任意のタイプのデバイスとすることができる。アプリケーションデータおよび他のデータは、本システムおよび方法に従って作動するように、コントローラまたはプロセッサによって受信される。
【００４２】
本方法のオペレーション上の動作は、コンピュータソフトウェアプログラム、例えば方法の個々のステップまたは動作に対応するモジュールを含むことが好ましい、コンピュータソフトウェアプログラムにより特に実行されるようになっている。当然ながら、かかるソフトウェアは、コンピュータで読み取り可能なメディア、例えば集積チップ、周辺デバイスまたはメモリ、例えばコントローラまたは光モジュールのプロセッサに結合されたメモリまたは他のメモリで具現化できる。
【００４３】
コンピュータで読み取り可能なメディアおよび／またはメモリは、任意の記録可能なメディア（例えばＲＡＭ、ＲＯＭ、取り外し自在なメモリ、ＣＤ−ＲＯＭ、ハードドライブ、ＤＶＤ、フロッピー（登録商標）ディスクまたはメモリカード）でもよいし、または伝送媒体（例えば光ファイバー、ワールドワイドウェブ、ケーブルを含むネットワークおよび／または例えば時間分割多元アクセス、符号分割多元アクセスまたは他の無線通信システムを使用する無線チャンネル）でよい。コンピュータシステムと共に使用するのに適した情報を記憶できる公知の、または開発された任意のメディアをコンピュータで読み取り可能なメディアおよび／またはメモリ２３０、２４０として使用できる。
【００４４】
追加メモリも使用できる。コンピュータで読み取り可能なメディア、メモリ２３０、２４０および／または他の任意のメモリを長期メモリ、短期メモリまたは長期メモリと短期メモリとの組み合わせとすることができる。これらメモリは、本明細書に開示した方法、オペレーション上の動作および機能を実施するように、プロセッサ／コントローラを構成する。これらメモリは、分散されていても、ローカルでもよく、追加プロセッサを設けることができる場合には、プロセッサは分散されていても、ローカルでもよい。メモリは電気、磁気または光メモリとして構成してもよいし、またはこれらまたはその他のタイプの記憶デバイスの任意の組み合わせとすることができる。更に、メモリなる用語は、プロセッサがアクセスするアドレス指定可能なスペース内のアドレスに書き込んだり、またはアドレスから読み出しできる任意の情報を含むのに十分広義に理解すべきである。この定義によれば、プロセッサはネットワークから情報を検索できるので、例えば、メモリ内にはネットワーク上の情報も存在する。
【００４５】
コントローラおよび／または光モジュールのプロセッサおよびメモリ２３０、２４０は、米国特許出願第2003/0057887号に記載されているような任意のタイプのプロセッサ／コントローラおよびメモリとすることができ、本明細書では、この米国特許出願全体を参考例として援用する。このプロセッサは、光モジュールの選択およびグループ分けに応答して制御信号を発生し、および／または作動を実行し、および／または所定の、またはプログラム可能な光設定を選択し、メモリに記憶された命令を実行できる。このプロセッサは、アプリケーション特定集積回路または汎用集積回路とすることができる。更にプロセッサは、本システムに従って作動するための専用のプロセッサでもよいし、または本発明に従って多くの機能のうちの１つしか実行されないような汎用プロセッサでもよい。プロセッサは１つのプログラム部分、多数のプログラムセグメントを利用して作動してもよいし、または専用または汎用集積回路を利用するハードウェアデバイスでもよい。ユーザーの存在または識別を識別するように利用される上記システムの各々は、別のシステムと共に組み合わせて使用できる。
【００４６】
当然ながら、上記実施形態またはプロセスのうちの任意の１つを、他の１つの実施形態またはプロセスと組み合わせるか、または他の１つ以上の実施形態またはプロセスと組み合わせ、ユーザーを探し、特定のパーソナリティとマッチングさせ、適当な推奨を提供する上で更に改善することも可能であると理解すべきである。
【００４７】
最後に、これまでの説明は単に本システムを説明するためのものであり、特許請求の範囲を特定の実施形態または実施形態のグループに限定するものと解してはならない。従って、本発明の特定の実施形態を参照し、本システムについて特に詳細に説明したが、当業者であれば、特許請求の範囲の記載を本システムのより広義の意図する要旨から逸脱することなく、多数の変形および別の実施形態を想到できるとも理解すべきである。従って、本明細書および添付図面は、単に説明のためのものと理解すべきであり、特許請求の範囲を限定するものではない。
【００４８】
特許請求の範囲の解釈にあたり、次のように理解すべきである。
ａ）「含む」または「備える」なる単語は、所定の請求項に記載されたもの以外の他の要素または工程が存在することを排除するものではない。
ｂ）要素に先行する「１つの」または「ある」なる単語は、かかる要素が複数存在することを排除するものではない。
ｃ）請求項に記載した参照符号は、発明の範囲を限定するものではない。
ｄ）いくつかの「手段」なる用語は、同一のアイテムまたはハードウェアもしくはソフトウェアで実現される構造または機能によって表示できる。
ｅ）開示した要素のいずれかは、（例えばディスクリート電子回路および集積電子回路を含む）ハードウェア部分、ソフトウェア部分（例えばコンピュータプログラム）およびそれらの任意の組み合わせから構成できる。
ｆ）ハードウェア部分は、アナログ部分およびデジタル部分の一方または双方から構成できる。
ｇ）特に記載しない限り、開示したデバイスまたはデバイスの一部のいずれかは、一体に組み合わせてもよいし、別の部分に分離してもよい。
ｈ）特に表示しない限り、工程またはステップの特定のシーケンスは不要である。
【図面の簡単な説明】
【００４９】
【図１Ａ】リンク機構を含む一実施形態を示す。
【図１Ｂ】リンク機構を含む一実施形態を示す。
【図１Ｃ】リンク機構を含む一実施形態を示す。
【図２Ａ】詳細なリンクシステムを示す。
【図２Ｂ】詳細なリンクシステムを示す。
【図２Ｃ】詳細なリンクシステムを示す。
【図３】詳細なグループ分けシステムを示す。
【符号の説明】
【００５０】
１００    照明システム
１１０    照明モジュール
１２０    コントローラ
２６０    コントローラリンクサブシステム
２７０    コンピュータプログラム通信サブシステム
【図１Ａ】
2009536778.tif 000003
【図１Ｂ】
2009536778.tif 000004
【図１Ｃ】
2009536778.tif 000005
【図２Ａ】
2009536778.tif 000006
【図２Ｂ】
2009536778.tif 000007
【図２Ｃ】
2009536778.tif 000008
【図３】
2009536778.tif 000009
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
光源を受け入れるように構成されている照明モジュール（１１０）と、
前記照明モジュールにリンク可能に構成されているコントローラ（１２０）とを備え、
前記照明モジュール（１１０）のモジュールリンク識別および前記コントローラ（１２０）のコントローラリンク識別のうちの少なくとも１つを前記コントローラ（１２０）と前記照明モジュール（１１０）との間で交換することにより、前記コントローラ（１２０）と前記照明モジュール（１１０）との間のリンクを確立でき、
前記コントローラ（１２０）は、前記照明モジュールのモジュールリンク識別および前記コントローラのコントローラリンク識別のうちの前記少なくとも１つを交換するよう前記照明モジュール（１１０）をポイントするためのレーザーポンターを含む、照明システム（１００）。
【請求項２】
前記照明モジュール（１１０）に対して前記コントローラをポイントすること、前記コントローラ（１２０）を前記照明モジュール（１１０）に接触させること、前記コントローラ（１２０）と前記照明モジュール（１１０）とを互いに接近させること、およびディスプレイから前記照明モジュール（１１０）を選択することのうちの１つを含むジェスチャーに基づき、前記リンクを確立できるようになっている、請求項１に記載の照明システム（１００）。
【請求項３】
前記照明モジュール（１１０）は、モジュールリンクサブシステム（２１０）を備え、前記コントローラ（１２０）は、コントローラリンクサブシステム（２６０）を備え、前記モジュールリンクサブシステム（２１０）および前記コントローラリンクサブシステム（２６０）は、前記モジュールリンク識別および前記コントローラリンク識別のうちの前記少なくとも１つを交換するように構成されている、請求項１に記載の照明システム（１００）。
【請求項４】
前記照明モジュール（１１０）のモジュールコマンド識別および前記コントローラ（１２０）のコントローラコマンド識別のうちの少なくとも１つを、前記コントローラ（１２０）と前記照明モジュール（１１０）との間で交換することにより、前記リンクを更に確立できる、請求項１に記載の照明システム（１００）。
【請求項５】
前記照明モジュール（１１０）は通信サブシステム（２２０）を備え、前記コントローラ（１２０）は、コントローラ通信サブシステム（２７０）を備え、前記モジュール通信サブシステム（２２０）および前記コントローラ通信サブシステム（２７０）は、前記モジュールコマンド識別および前記コントローラコマンド識別のうちの前記少なくとも１つを交換するように構成されている、請求項４に記載の照明システム（１００）。
【請求項６】
前記照明モジュール（１１０）は、モジュールリンクサブシステム（２１０）およびモジュール通信サブシステム（２２０）を備え、前記コントローラ（１２０）は、コントローラリンクサブシステム（２６０）およびコントローラ通信サブシステム（２７０）を備え、前記モジュールリンクサブシステム（２１０）および前記コントローラリンクサブシステム（２６０）は、前記モジュールリンク識別および前記コントローラリンク識別のうちの前記少なくとも１つを交換するように構成されており、前記コントローラ通信サブシステム（２７０）は、前記コントローラリンクサブシステム（２６０）からの前記モジュールリンク識別を受信し、前記光源を制御するためのコマンドを発生するように構成されている、請求項１に記載の照明システム（１００）。
【請求項７】
前記照明モジュール（１１０）は、モジュールリンクサブシステム（２１０）およびモジュール通信サブシステム（２２０）を備え、前記コントローラ（１２０）は、コントローラリンクサブシステム（２６０）およびコントローラ通信サブシステム（２７０）を備え、前記モジュールリンクサブシステム（２１０）および前記コントローラリンクサブシステム（２６０）は、前記モジュールリンク識別および前記コントローラリンク識別のうちの前記少なくとも１つを交換するように構成されており、前記モジュール通信サブシステム（２２０）および前記コントローラ通信サブシステム（２７０）は、前記モジュールコマンド識別および前記コントローラコマンド識別のうちの前記少なくとも１つを交換するように構成されている、請求項１に記載の照明システム（１００）。
【請求項８】
更に別のコントローラ（３５０）を備え、この別のコントローラ（３５０）は、前記コントローラ（１２０）の設定をコピーするように構成されている、請求項１に記載の照明システム（１００）。
【請求項９】
前記コントローラ（１２０）は、ポータブルコントローラである、請求項１に記載の照明システム（１００）。
【請求項１０】
無線通信を通して前記リンクが確立される、請求項１に記載の照明システム（１００）。
【請求項１１】
別の照明モジュールにより別のリンクが確立されたときに、前記リンクが削除される、請求項１に記載の照明システム（１００）。
【請求項１２】
前記複数の照明モジュールを更に備え、前記コントローラ（１２０）は、前記少なくとも１つのグループに関連する光源を制御するよう、前記複数の前記照明モジュールの少なくとも１つのグループにリンクできるように構成されている照明システム（１００）。
【請求項１３】
前記少なくとも１つのグループのそれぞれのグループは、それぞれのグループ識別を有し、前記コントローラは、前記それぞれのグループ識別に基づき、前記それぞれのグループを制御するように構成されている、請求項１２に記載の照明システム（１００）。
【請求項１４】
前記コントローラ（１２０）は、前記それぞれのグループに関連する照明モジュールに対して前記コントローラ（１２０）をポインティングすること、前記照明モジュールに対して前記コントローラを接触させることおよびディスプレイから前記照明モジュールを選択することのうちの１つを含むジェスチャーに基づき、前記それぞれのグループ識別を受信するよう、前記それぞれのグループにリンク可能となっている、請求項１２に記載の照明システム（１００）。
【請求項１５】
追加照明モジュールを更に備え、これら追加照明モジュールは、モジュールの組にグループ分けされ、前記組の各々は、それぞれのグループ識別を有し、前記コントローラは、前記組のうちの第１の組、複数の前記組およびすべての前記組のうちの少なくとも１つを制御するように更に構成されている、請求項１に記載の照明システム（１００）。
【請求項１６】
前記コントローラ（１２０）は、前記それぞれのグループ識別によりモジュールの前記組を制御するように構成されている、請求項１５に記載の照明システム（１００）。
【請求項１７】
前記コントローラは、前記組のうちの少なくとも１つを制御するようになっている制御セッションのためのセッション識別を提供するように構成されている、請求項１５に記載の照明システム（１００）。
【請求項１８】
前記セッション識別は、前記組のうちの前記少なくとも１つを将来制御するために、前記コントローラ（１２０）のメモリ（２４０）内に記憶されている、請求項１７に記載の照明システム（１００）。
【請求項１９】
コントローラ（１２０）に含まれるレーザーポンターで前記光源をポイントする工程と、
光源のソースリンク識別およびコントローラ（１２０）のコントローラリンク識別のうちの少なくとも１つを、前記コントローラと前記光源との間で交換する工程と、
前記コントローラ（１２０）と前記光源との間のリンクを確立する工程とを備える、光源を制御するための方法。
【請求項２０】
前記リンクを確立する工程は、前記光源に対して前記コントローラ（１２０）をポイントすること、前記光源に前記コントローラ（１２０）を接触させること、およびディスプレイ（３７０）から前記光源を選択することのうちの少なくとも１つを含む、請求項１９に記載の方法。
【請求項２１】
前記光源のソースコマンド識別および前記コントローラ（１２０）のコントローラコマンド識別のうちの少なくとも１つを前記コントローラ（１２０）と前記光源との間で交換する工程を更に含む、請求項１９に記載の方法。
【請求項２２】
別のコントローラに前記コントローラ（１２０）の設定をコピーする工程を更に備える、請求項１９に記載の方法。
【請求項２３】
別の光源により別のリンクが確立されたときに前記リンクを削除する工程を更に備える、請求項１９に記載の方法。
【請求項２４】
光源の少なくとも１つのグループをリンクする工程と、
前記１つのグループに関連するそれぞれの光源を制御するよう、前記少なくとも１つのグループのうちから１つのグループを選択する工程を更に備える、請求項１９に記載の方法。
【請求項２５】
前記少なくとも１つのグループのうちから複数のグループを選択する工程と、
前記複数のグループに関連するセッション識別を形成する工程と、
前記セッション識別に所定の設計を割り当てる工程と、
前記所定の設定に従い、前記セッション識別に関連する光源を制御する工程とを更に備える、請求項２４に記載の方法。
【国際調査報告】
2009536778.tif 000010
2009536778.tif 000011
2009536778.tif 000012
2009536778.tif 000013
2009536778.tif 000014
2009536778.tif 000015